(57)【特許請求の範囲】
【請求項１】
呼が進行している間に１つの移動局から別の移動局に対してＤＴＭＦトーンのバーストを送信するための方法であって、
該呼のためにＴＦＯモードを確立するステップと、
バーストのＤＴＭＦディジットまたは複数のＤＴＭＦディジットを送信するように第１の移動局に対して指令するステップと、
ＩＳ−９５の逆方向のバーストＤＴＭＦシグナリング・メッセージを第１の移動局から第１の交換器に位置する第１のＴＦＯプロセッサに対して送信するステップと、
該第１のＴＦＯプロセッサによって受信された該ＤＴＭＦシグナリング・メッセージからＤＴＭＦ情報を抽出し、該ＤＴＭＦ情報を含んでいるＴＦＯフレームを該第１の交換器において形成するステップと、
該ＴＦＯフレームを該第１の交換器に位置する該第１のＴＦＯプロセッサから第２の交換器に位置する第２のＴＦＯプロセッサに送信するステップと、
ＤＴＭＦシグナリング・アクノレッジメント・メッセージを該第２のＴＦＯプロセッサから該第１のＴＦＯプロセッサにＴＦＯフレームにおいて送信するステップと、
該第１のＴＦＯプロセッサから該第２のＴＦＯプロセッサによって受信された該ＴＦＯフレームから該ＤＴＭＦ情報を抽出し、ＩＳ−９５の順方向のバーストＤＴＭＦシグナリング・メッセージの生成をトリガするステップと、
該メッセージを該第２の交換器から第２の移動局に送信するステップと、
該第２の移動局が受信した該ＤＴＭＦシグナリング・メッセージに基づいてＤＴＭＦトーンを該第２の交換器で生成するステップとを含む方法。
【請求項２】
請求項１に記載の方法において、該ＤＴＭＦメッセージ情報が、ＩＳ−９５のメッセージ長についての必要条件に従って複数のＴＦＯフレームにまたがる可能性があり、ＤＴＭＦシグナリング・メッセージをＰＲＯＣ  ＡによってＴＦＯ  ＰＲＯＣ  Ｂに対してＴＦＯフレームにおいて送信するステップをさらに含み、
ＴＦＯ  ＰＲＯＣ  Ａは、ＴＦＯ  ＰＲＯＣ  ＡがＰＲＯＣ  ＢからＴＦＯフレームにおいて動作が不成功であったことを示しているＤＴＭＦシグナリング・アクノレッジメント・メッセージを受信したか、あるいはＴＦＯ  ＰＲＯＣ  Ａが指定された長さの時間内にアクノレッジメント・メッセージを受信しなかったかのいずれかの場合に、ＴＦＯ  ＰＲＯＣ  ＢがＴＦＯフレームのＤＴＭＦシグナリング・メッセージを処理できないという仮定に基づいて進行し、
ＴＦＯ  ＰＲＯＣ  ＢがＴＦＯフレームのＤＴＭＦシグナリング・メッセージを処理することができないことに応答して、コーデック  Ａ  ＤＴＭＦトーンに関連するＤＴＭＦトーン・ゼネレータによってＤＴＭＦトーンがＰＣＭチャネル上で送信されるステップと、
ＴＦＯ  ＰＲＯＣ  Ａをタンデム・モードに変更するステップと、
該第１のＤＴＭＦトーンを指定された最小の長さの時間の間、送信するステップと、
コーデック  Ｂに関連するＤＴＭＦ検出器によって該ＰＣＭチャネル上の該ＤＴＭＦトーンを検出するステップと、
ＴＦＯ  ＰＲＯＣ  Ｂをタンデム動作モードに変更するステップと、
該ＤＴＭＦトーンをＤＴＭＦディジットにデコードし、該トーンをＭＳ  Ｂに対して送信するステップとをさらに含む方法。
【請求項３】
請求項１に記載の方法において、
ＴＦＯ  ＰＲＯＣ  ＡがＴＦＯ  ＰＲＯＣ  Ｂに対してＴＦＯフレームにおいてＤＴＭＦシグナリング・メッセージを送信した後、ＴＦＯ  ＰＲＯＣ  Ａが動作が不成功であったことを示しているＤＴＭＦシグナリング・アクノレッジメント・メッセージをＴＦＯフレームで受信したか、あるいは指令された長さの時間内にアクノレッジメント・メッセージを受信しなかったかのいずれかの場合に、ＴＦＯ  ＰＲＯＣ  ＢがＴＦＯフレームのＤＴＭＦシグナリング・メッセージを処理することができないことがＴＦＯ  ＰＲＯＣ  Ａによって判定されるステップと、
ＴＦＯフレームのＤＴＭＦシグナリング・メッセージをＴＦＯ  ＰＲＯＣ  Ｂが処理できないことの該判定に応答して、コーデック  Ａに関連するＤＴＭＦトーン・ゼネレータによってＤＴＭＦトーンを該ＰＣＭチャネル上でサンプル当たり８ビットすべてを使って直ちに送信し、そしてＴＦＯ  ＰＲＯＣ  Ａをタンデム動作モードに変更するステップと、
該ＤＴＭＦトーンが指定された最小の長さの時間の間、最初に送信されるステップと、
コーデック  Ｂに関連するＤＴＭＦ検出器が該ＤＴＭＦトーンを該ＰＣＭチャネル上で検出し、該トーンをＤＴＭＦディジットにデコードし、該トーンをＭＳ  Ｂに対して送信するステップと、
ＴＦＯ  ＰＲＯＣ  Ｂをタンデム動作モードに変更するステップとをさらに含む方法。
【請求項４】
２つの移動局の間で連続ＤＴＭＦ信号を送信するための方法であって、
この呼に対してＴＦＯモードを確立するステップと、
連続ＤＴＭＦトーンを送信するように第１の移動局Ａに指令するステップと、
ＩＳ−９５の逆方向の連続ＤＴＭＦシグナリング・メッセージを該第１の移動局から第１の交換器に位置する第１のＴＦＯプロセッサに送信するステップと、
該第１のＴＦＯプロセッサによって受信された該ＤＴＭＦシグナリング・メッセージからＤＴＭＦ情報を抽出し、該ＤＴＭＦ情報を含んでいるＴＦＯフレームを形成するステップと、
該ＴＦＯフレームを該第１の交換器から第２の交換器に位置する第２のＴＦＯプロセッサに送信するステップと、
ＤＴＭＦシグナリング・アクノレッジメント・メッセージを該第２のＴＦＯプロセッサから該第１のＴＦＯプロセッサに対して別のＴＦＯフレームにおいて送信するステップと、
該第２の交換器に位置する該第２のＴＦＯプロセッサが該第１のＴＦＯプロセッサから受信した該ＴＦＯフレームから該ＤＴＭＦ情報を抽出するステップと、
ＩＳ−９５の順方向の連続ＤＴＭＦシグナリング・メッセージの生成をトリガするステップと、
該連続ＤＴＭＦシグナリング・メッセージを該第２の交換器から第２の移動局に送信するステップと、
該第２の移動局が受信した該ＤＴＭＦシグナリング・メッセージに基づいてＤＴＭＦトーンを該第２の移動局において生成するステップとを含む方法。
【請求項５】
請求項４に記載の方法において、
該連続ＤＴＭＦトーンの送信を停止するように該第１の移動局に指令するステップと、
該連続ＤＴＭＦトーンを停止させるためにＩＳ−９５の逆方向の連続ＤＴＭＦシグナリング・メッセージを該第１の移動局から該第１のＴＦＯプロセッサに対して送信するステップと、
該第１の移動局から受信該ＤＴＭＦシグナリング・メッセージからＤＴＭＦ情報を該第１のＴＦＯプロセッサによって抽出し、該ＤＴＭＦ情報を含んでいるＴＦＯフレームを形成するステップと、
該ＴＦＯフレームを該第２のＴＦＯプロセッサに対して送信するステップと、
第２のＴＦＯプロセッサからのＤＴＭＦシグナリング・アクノレッジメント・メッセージを別のＴＦＯフレームにおいて第１のＴＦＯプロセッサに対して送信するステップと、
該第１のＴＦＯプロセッサから受信された該ＴＦＯフレームから該ＤＴＭＦ情報を抽出するステップと、
該第２のＴＦＯプロセッサによって該連続ＤＴＭＦトーンを停止させるために、ＩＳ−９５の順方向の連続ＤＴＭＦシグナリング・メッセージの発生をトリガするステップと、
該連続ＤＴＭＦトーンの停止メッセージを該第２のＴＦＯプロセッサから該第２の移動局に対して送信するステップと、
該第２の移動局によって該連続ＤＴＭＦトーンの発生を停止させるステップとを含む方法。
【請求項６】
請求項４に記載の方法において、
該第１のＴＦＯプロセッサが該ＴＦＯフレームで該ＤＴＭＦシグナリング・メッセージを該第２のＴＦＯプロセッサに対して送信した後、該ＤＴＭＦのシグナリング・メッセージの動作が成功しなかったか、あるいは以前に規定されている長さの時間以内にアクノレッジメント・メッセージが受信されなかったことを示している、該第２のＴＦＯプロセッサからのＴＦＯフレームのＤＴＭＦシグナリング・アクノレッジメント・メッセージを該第１のＴＦＯプロセッサが受信した場合に、該第２のＴＦＯプロセッサがＴＦＯフレームのＤＴＭＦシグナリング・メッセージを処理することができないと、該第１のＴＦＯプロセッサが判定するステップと、
肯定的なアクノレッジメント・メッセージがなかった場合に、第１のコーデックに関連する該ＤＴＭＦトーン・ゼネレータを経由して、該ＰＣＭチャネル上でＤＴＭＦトーンを送信するステップと、
該第１のＴＦＯプロセッサをタンデム動作モードに変更するステップと、
第２のコーデックに関連するＤＴＭＦ検出器によって、該ＰＣＭチャネル上の該ＤＴＭＦトーンを検出するステップと、
該ＤＴＭＦトーンをＤＴＭＦ文字にデコードするステップと、
該ＤＴＭＦトーンを該第２の移動局に対して送信するステップと、
該第２のＴＦＯプロセッサをタンデム・モードに変更するステップとを含む方法。
【請求項７】
呼が進行している間に１つの移動局から別の移動局に対してＤＴＭＦトーンのバーストを送信するための装置であって、
該呼に対してＴＦＯモードを確立する手段と、
バーストのＤＴＭＦ文字を送信するように第１の移動局に指令する手段と、
ＩＳ−９５の逆方向のバーストＤＴＭＦシグナリング・メッセージを該第１の移動局から第１の交換器に位置する第１のＴＦＯプロセッサに送信する手段と、
該第１のＴＦＯプロセッサによって受信された該ＤＴＭＦシグナリング・メッセージからＤＴＭＦ情報を抽出し、該ＤＴＭＦ情報を含んでいるＴＦＯフレームを形成するための手段と、
該ＴＦＯフレームを該第２の交換器に位置する第２のＴＦＯプロセッサに送信する手段と、
ＤＴＭＦシグナリング・アクノレッジメント・メッセージを該第２のＴＦＯプロセッサから該第１のＴＦＯプロセッサに対して別のＴＦＯフレームにおいて送信するための手段と、
該第２の交換局に位置する該第２のＴＦＯプロセッサによって、該第１のＴＦＯプロセッサから受信された該ＴＦＯフレームから該ＤＴＭＦ情報を抽出し、ＩＳ−９５の順方向のバーストＤＴＭＦシグナリング・メッセージの生成をトリガする手段と、
該第２の交換器に位置し、該バーストのＤＴＭＦシグナリング・メッセージを該第２の移動局に送信する手段と、
該第２の交換器に位置し、該第２の移動局が受信した該ＤＴＭＦシグナリング・メッセージに基づいてＤＴＭＦトーンを生成する手段とを含む装置。
【請求項８】
呼が進行している間に１つの移動局から別の移動局に対してＤＴＭＦトーンのバーストを送信するための装置であって、
該呼に対してＴＦＯモードを確立するための複数のＴＦＯプロセッサと、
バーストのＤＴＭＦ文字を送信するように該複数のＴＦＯプロセッサの第１の移動局に指令するためのユーザ駆動の装置とを含んでいて、
該第１の移動局は、ＩＳ−９５の逆方向のバーストＤＴＭＦシグナリング・メッセージを第１の交換器に位置する第１のＴＦＯプロセッサに送信する出力を備えていて、
該第１のＴＦＯプロセッサは、該第１のＴＦＯプロセッサによって受信された該ＤＴＭＦシグナリング・メッセージからＤＴＭＦ情報を抽出し、該ＤＴＭＦ情報を含んでいるＴＦＯフレームを形成し、
該第１のＴＦＯプロセッサは、該複数のＴＦＯプロセッサのうちの第２の交換器に位置する第２のＴＦＯプロセッサに該ＴＦＯフレームを送信する出力を備えていて、
該第２のＴＦＯプロセッサは、ＤＴＭＦシグナリング・アクノレッジメント・メッセージを該第１のＴＦＯプロセッサに別のＴＦＯフレームにおいて送信するアクノレッジメント出力を備えていて、
該第２の交換器に位置する該第２のＴＦＯプロセッサは、該第２のＴＦＯプロセッサによって該第１のＴＦＯプロセッサから受信された該ＴＦＯフレームから該ＤＴＭＦ情報を抽出し、ＩＳ−９５の順方向のバーストＤＴＭＦシグナリング・メッセージの生成をトリガし、
該第２の交換器に位置する該第２のＴＦＯプロセッサは、該バーストのＤＴＭＦシグナリング・メッセージを該第２の移動局に送信する出力を備えていて、
該第２の移動局は、該第２の移動局が該第２の交換器から受信した該ＤＴＭＦシグナリング・メッセージに基づいて、ＤＴＭＦトーンを生成するＤＴＭＦトーン・ゼネレータを備えている装置。
【請求項９】
請求項８に記載の装置において、該ユーザ入力装置が、英数字および制御文字を含んでいる少なくとも１２個の文字を有している複数文字キーパッドである装置。
【請求項１０】
請求項８に記載の装置において、該ユーザ入力装置が音声認識システムである装置。
【発明の詳細な説明】
【０００１】
【発明の属する技術分野】
本発明は、移動電話局に関し、特に、タンデムの動作モードに切り換えないタンデム・フリー動作（ＴＦＯ）モードにおける移動局間でのデュアル・トーン多周波数（ＤＴＭＦ）シグナリングのための方法および装置に関する。
【０００２】
【従来の技術】
＜関連出願への相互参照＞
本出願は、１９９９年１２月２８日に出願された仮特許出願第６０／１７３，３５１号の優先権を主張する。
移動局から移動局への通信装置１００の既知の動作が図１に示されており、タンデム動作と呼ばれる。タンデム動作においては、移動局Ａ（ＭＳ  Ａ）１０２がＤＴＭＦ信号を移動局Ｂ（ＭＳ  Ｂ）１２４に対して送信しようとする場合、ＭＳ  Ａ  １０２はメッセージをＩＳ−９５標準に従ってＤＴＭＦ信号に符号化し、そのメッセージを電波で送信する。その符号化されたＤＴＭＦ信号はコーダ／デコーダ（コーデック）Ａ  １０８によって受信され、コーデック  Ａ  １０８によってデコードされ、高ビット・レート回線１１２上でコーデック  Ｂ  １１８に対して送信される。コーデック  ＢはそのＤＴＭＦ信号を符号化し、それをＭＳ  Ｂ  １２４に対して送信する。ＭＳ  Ｂ  １２４はその符号化されたＤＴＭＦ信号をデコードし、それを使用する。コーデック  Ａ  １０８およびコーデック  Ｂ  １１８は、それぞれの移動局のフォーマットを知っており、必要なプロトコルまたはフォーマット変換、例えば、ＣＤＭＡからＴＤＭＡへの変換を提供する。ＭＳ  Ａ  １０２およびＭＳ  Ｂ  １２４が両方ともＣＤＭＡを使用する場合、すなわち、両方ともディジタルである場合、コーデック  Ａ  １０８およびコーデック  Ｂ  １１８は、ある程度の量子化ノイズ、歪みおよびある程度の時間遅延以外、それぞれの動作によって何も付け加えていない。その歪みおよび遅延が、バイパスまたはタンデム・フリー動作（ＴＦＯ）モードの標準がエリアの提案に対して開かれている理由である。
【０００３】
【発明が解決しようとする課題】
現在提案されているＴＦＯ標準は、先ず最初にタンデムの動作モードに切り換わってからコーデックを通過するということなしに、移動局から移動局へのＤＴＭＦシグナリングを提供する方法を含まない。ＣＤＭＡに対するＩＳ−９５標準は逆方向（アップリンク）ＤＴＭＦシグナリング・メッセージおよび順方向（ダウンリンク）ＤＴＭＦシグナリング・メッセージを提供するが、提案されているＴＦＯモードにおけるエンドツーエンド方式のＤＴＭＦシグナリングのメカニズムは現在存在しない。現在、ＴＦＯ標準にはＴＦＯモードにおけるＤＴＭＦシグナリング・メカニズムがないので、タンデムの動作モードに入り（すなわち、ＴＦＯなしで）、ＤＴＭＦシグナリングが必要である時は常にコーデックを使用することが必要である。
【０００４】
現在提案されているＴＦＯ標準によれば、ＴＦＯモードから脱出するのに約６０ミリ秒必要となる可能性がある。ＤＴＭＦ検出のためのベルコア（ＢｅｌｌＣｏｒｅ）の標準によれば、持続時間が４０ミリ秒またはそれ以上のＤＴＭＦのエネルギー・バーストを相手の局が正しく検出しなければならない。従って、６０ミリ秒の待ち時間によって、ＤＴＭＦ文字および／またはディジットが受信側の移動局によって検出されない可能性が十分にある。
【０００５】
さらに、無線ローカル・ループ（ＷＬＬ）のアプリケーションが無線のアプリケーションおよび製品の非常に重要な部分となりつつある。多くの場合、ＷＬＬにおいて、ネットワーク・インターフェース・ユニット（ＮＩＵ）が移動局として使われる。エンド・ユーザは、通常の、標準在庫の地上回線装置（例えば、アンサリング・マシン、従来型の電話サービスの電話機セットなど）をそれぞれのＮＩＵに対してフックアップすることができる。従って、特にＭＳ  Ｂ  １２４がＮＩＵである時、１つの移動局（例えば、ＭＳ  Ａ  １０２）から別の移動局（例えば、ＭＳ  Ｂ  １２４）に対してＤＴＭＦトーンの信頼性の高い送信を確保すること、およびＤＴＭＦトーンの方法によるシグナリングの使用を通じて任意のＮＩＵ周辺装置（例えば、アンサリング・マシン）を信頼性の高いものにすることが重要である。
【０００６】
従って、信頼性の高いＤＴＭＦシグナリングによるＴＦＯに対するニーズがこの分野の技術において存在する。
【０００７】
また、コーデックによる不必要なコーティングおよびデコーディングによって生じる不必要な歪みおよび遅延のない、移動局から移動局への動作に対するニーズもこの分野の技術において存在する。
【０００８】
本提案は、移動局が互換性のある無線ディジタル通信技術を使用している時に、タンデムの動作モードに切り換わる必要のないＴＦＯモードにおける移動局から移動局へのＤＴＭＦシグナリングをサポートすることができる。
【０００９】
【課題を解決するための手段】
本発明の１つの態様によれば、上記問題が対処され、呼出しが進行している間に第１のＭＳから第２のＭＳへＤＴＭＦトーン・バーストを送信する方法を提供することによって、この分野の技術における進歩が達成される。この方法は、この呼出しに対してＴＦＯモードを確立するステップと；少なくとも１つのＤＴＭＦ文字を表しているＤＴＭＦトーン・バーストを送信するように第１のＭＳに指令するステップと；ＩＳ−９５の逆方向のバーストＤＴＭＦシグナリング・メッセージを第１のＭＳから第１のＴＦＯプロセッサに対して送信するステップと；第１のＴＦＯプロセッサによって受信されたバーストのＤＴＭＦシグナリング・メッセージからＤＴＭＦ情報を抽出し、このＤＴＭＦ情報を含んでいるＴＦＯフレームを形成するステップと；このＴＦＯフレームを第２のＴＦＯプロセッサに対して送信するステップとを含む。ＴＦＯフレームのＤＴＭＦ情報を受信したとき、その方法は、ＤＴＭＦシグナリング・アクノレッジメント・メッセージを第２のＴＦＯ  ＰＲＯＣから第１のＴＦＯ  ＰＲＯＣに対して別のＴＦＯフレームにおいて送信するステップと；第２のＴＦＯ  ＰＲＯＣによって受信されたＴＦＯフレームからＤＴＭＦ情報を抽出し、ＩＳ−９５の順方向のバーストＤＴＭＦシグナリング・メッセージの発生をトリガするステップと；この順方向のバーストＤＴＭＦシグナリング・メッセージを第２のＭＳに対して送信するステップと；第２のＭＳによって受信されたＤＴＭＦシグナリング・メッセージのＤＴＭＦ情報に基づいてＤＴＭＦトーンを発生するステップとによって継続する。
【００１０】
本発明のもう１つの態様によれば、呼出しが進行している間に第１のＭＳから第２のＭＳに対して連続ＤＴＭＦトーンを送信するための方法を提供することによって、前記の問題点が対策され、この分野の技術における進歩が達成される。この方法は、この呼出しに対してＴＦＯモードを確立するステップと；少なくとも１つのＤＴＭＦ文字を表している連続ＤＴＭＦトーンを送信するように第１のＭＳに指令するステップと；ＩＳ−９５の逆方向のバーストＤＴＭＦシグナリング・メッセージを第１のＭＳから第１のＴＦＯプロセッサに対して送信するステップと；第１のＴＦＯ  ＰＲＯＣによって受信された連続ＤＴＭＦシグナリング・メッセージからＤＴＭＦ情報を抽出し、このＤＴＭＦ情報を含んでいるＴＦＯフレームを形成するステップと；このＴＦＯフレームを第２のＴＦＯ  ＰＲＯＣに対して送信するステップとを含む。ＴＦＯフレームでＤＴＭＦ情報を受信したとき、上記方法は、ＤＴＭＦシグナリング・アクノレッジメント・メッセージを第２のＴＦＯ  ＰＲＯＣから第１のＴＦＯ  ＰＲＯＣに対して別のＴＦＯフレームにおいて送信するステップと；第２のＴＦＯ  ＰＲＯＣによって受信されたＴＦＯフレームからＤＴＭＦ情報を抽出し、ＩＳ−９５の順方向のバーストＤＴＭＦシグナリング・メッセージの発生をトリガするステップと；この順方向のバーストＤＴＭＦシグナリング・メッセージを第２のＭＳに対して送信するステップと；第２のＭＳによって受信されたＤＴＭＦシグナリング・メッセージのＤＴＭＦ情報に基づいてＤＴＭＦトーンを発生するステップとによって継続する。
【００１１】
本発明のもう１つの態様によれば、呼出しが進行している間に１つの移動局から別の移動局に対してＤＴＭＦトーンのバーストを送信するための装置によって、この分野の技術における前記短所が克服され、この分野における進歩が提供される。上記装置は、この呼出しに対してＴＦＯモードを確立するためのＴＦＯプロセッサと；１つのバーストＤＴＭＦディジットまたは複数のＤＴＭＦディジットを送信するように第１の移動局に指令するための手動入力装置と；ＩＳ−９５の逆方向のバーストＤＴＭＦシグナリング・メッセージを第１の移動局から第１のＴＦＯ  プロセッサに対して送信するためのＩＳ−９５の逆方向のバーストＤＴＭＦシグナリング・メッセージ・ユニットとを含み、前記第１のＴＦＯプロセッサは前記第１のＴＦＯプロセッサによって受信されたＤＴＭＦシグナリング・メッセージからＤＴＭＦ情報を抽出し、このＤＴＭＦ情報を含んでいるＴＦＯフレームを形成し；前記ＴＦＯプロセッサは第２のＴＦＯプロセッサに対してこのＴＦＯフレームを送信するための出力を備えていて；前記第２のＴＦＯプロセッサはＤＴＭＦシグナリング・アクノレッジメント・メッセージを前記第１のＴＦＯプロセッサに対して別のＴＦＯフレームにおいて送信するための手段を備えていて；前記第２のＴＦＯプロセッサは前記第１のＴＦＯプロセッサから受信されたＴＦＯフレームからＤＴＭＦ情報を抽出し、ＩＳ−９５の順方向のバーストＤＴＭＦシグナリング・メッセージの発生をトリガし；前記第２のＴＦＯプロセッサは前記第２の移動局に対して前記バーストＤＴＭＦシグナリング・メッセージを送信するための出力を備えており；また、前記装置は前記第２の移動局によって受信されたＤＴＭＦシグナリング・メッセージに基づいてＤＴＭＦトーンを発生するための手段を含む。
【００１２】
【発明の実施の形態】
ここで図２を参照して、本発明の１つの実施形態が説明される。装置２００が図２に示されている。装置２００は符号分割多元接続（ＣＤＭＡ）などのあるタイプのディジタル・プロトコル・ユニットであるＭＳ  Ａ  ２０２を備えている。ＭＳ  Ａ  ２０２はＴＦＯ  ＰＲＯＣ  Ａ  ２０６に対するリンク２０４に対して接続されている。ＭＳ  Ａ  ２０２は同様に非ＴＦＯ動作、すなわち、タンデム動作のためにコーデック  Ａ  ２０８に対してリンク２０４によって接続されている。ＴＦＯ  ＰＲＯＣ  Ａ  ２０６およびコーデック  Ａ  ２０８は、さらに加算点２１０に対して接続されている。加算点２１０は中央のリンク２１２によってＴＦＯ  ＰＲＯＣ  Ｂ  ２１６に対して接続されている。加算点２１０はＴＦＯ  ＰＲＯＣ  Ａ  ２０６およびコーデック  Ａ  ２０８からの出力の和を転送する。これらの２つが同時に信号を出力することは普通はないので、これによって所望の結果が達成される。同様に、加算点２１０は非ＴＦＯ動作、すなわち、タンデム動作のためにコーデック  Ｂ  ２１８に対して接続されている。制御スイッチ２２０がＴＦＯ  ＰＲＯＣ  Ｂ  ２１６によって制御される。ＴＦＯ  ＰＲＯＣ  Ｂ  ２１６は、現在の動作がＴＦＯ動作（その場合、スイッチ２２０をＴＦＯ  ＰＲＯＣ  Ｂ  ２１６の出力に対して切り換える）であるか、あるいは非ＴＦＯ動作（その場合、スイッチ２２０をコーデック  Ｂ  ２１８の出力に対して切り換える）であるかどうかを判定する。スイッチ２２０の中央ワイパはリンク２２２を経由してＭＳ  Ｂ  ２２４に接続されている。
【００１３】
リンク２０４および２２２は、本発明について主として明確にするために単純化されていることに留意されたい。リンク２０４および２２２は少なくとも部分的に無線リンクである。従って、リンク２０４の部分はＭＡ  Ａ  ２０２に対する無線リンクである。同様に、リンク２２２の部分はＭＳ  Ｂ  ２２４に対する無線リンクである。これは、ＭＳ  Ｂ  ２２４が多くの接続している電気通信装置、例えば、ファックス、コンピュータ、アンサリング・マシン、従来型の電話サービスの電話機セットなどに対する１つのタイプのハブとして動作しているネットワーク・インターフェース・ユニット（ＮＩＵ）であっても、装置２００の構成である。というのは、ＮＩＵとして移動局を使用するので、これらの周辺装置が使用され、制御されるために設計された方法において任意のＮＩＲ周辺装置を使うことができるようにするために、１つのＭＳから別のＭＳ（ＮＩＵ）へＤＴＭＦトーンを信頼性の高い送信をすることができることを確実にすることが非常に重要であるからである。
【００１４】
例えば、ＭＳ  Ａ  ２０２におけるユーザからの制御がバーストのＤＴＭＦの手段によって実行される場合の動作シナリオ１を考える。シナリオ１においては、図２および図３に示されているように、ＭＳ  Ａ  ２０２と、ＭＳ  Ｂ  ２２４との間の移動局から移動局への呼出しが、この呼出しに対して本発明に従ってＴＦＯモードにおいて確立されている。ＭＳ  Ａ  ２０２における移動局のユーザはバーストのＤＴＭＦ文字を送信するようにＭＳ  Ａ  ２０２に対して指令し、その文字はＤＴＭＦディジットか、あるいはＤＴＭＦ制御文字であってよい。代わりに、ＭＳ  Ａ  ２０２におけるユーザは複数のＤＴＭＦ文字の送信を指令することができる。そのユーザの指令に応答して、ＭＳ  Ａ  ２０２は、ＩＳ−９５（１９９９）によって定義されているＩＳ−９５の逆方向のバーストＤＴＭＦシグナリング・メッセージをＴＦＯ  ＰＲＯＣ  Ａ  ２０６に対して送信する。その後、ＴＦＯ  ＰＲＯＣ  Ａ  ２０６は、受信されたＤＴＭＦシグナリング・メッセージからＤＴＭＦ情報を抽出し、このＤＴＭＦ情報を含んでいるＴＦＯフレームを形成する。そのＤＴＭＦメッセージ情報はＩＳ−９５におけるメッセージ長についての必要条件のために複数のＴＦＯフレーム（７個までのＴＦＯフレーム）にわたる可能性がある。このＴＦＯフレームが加算点を通してＴＦＯ  ＰＲＯＣ  Ｂ  ２１６に対して送信される。次に、ＴＦＯ  ＰＲＯＣ  Ｂ  ２１６は、ＤＴＭＦのシグナリング・アクノレッジメント・メッセージをＴＦＯ  ＰＲＯＣ  Ａ  ２０６に対して別のＴＦＯフレームにおいて送信する。また、ＴＦＯ  ＰＲＯＣ  Ｂ  ２１６はＴＦＯ  ＰＲＯＣ  Ａ  ２０６から受信されたＴＦＯフレームからＤＴＭＦ情報を抽出し、そしてＩＳ−９５の順方向のバーストＤＴＭＦシグナリング・メッセージの発生をトリガし、それがＭＳ  Ｂ  ２２４に対して送信される。ＭＳ  Ｂ  ２２４は受信されたＤＴＭＦシグナリング・メッセージに基づいてＤＴＭＦトーンを発生する。結果のバーストＤＴＭＦ文字はＭＳ  Ｂ  ２２４の音声出力において別のユーザが聞くことができ、あるいはＭＳＢ  ２２４および／または付加されている周辺装置、例えば、アンサリング・マシン、コンピュータなどを制御するために、それ自身によって、あるいは以降でＤＴＭＦバーストを付けて使うことができる。タンデムの動作モードに変わることなしに、すべてがＴＦＯモードにおいて行われる。というのは、本発明の１つの態様によれば、ＴＦＯ  ＰＲＯＣ  Ａ  ２０６およびＴＦＯ  ＰＲＯＣ  Ｂ２１６によってコーデック  Ａ  ２０８およびコーデック  Ｂ  ２１８のバイパスが可能となるからである。
【００１５】
シナリオ２はＭＳ  Ａ  ２０２におけるユーザからの制御がバーストのＤＴＭＦの代わりに連続ＤＴＭＦの手段によって実行される第２の動作シナリオである。シナリオ２は、図２に示されている装置２００および図４に示されている方法４００を使って、この呼出しに対して、本発明に従ってＭＳ  Ａ  ２０２とＭＳＢ  ２２４との間の移動局から移動局への呼出しがＴＦＯモードで確立されていることを仮定する。ＭＳ  Ａ  ２０２における移動局のユーザが連続トーンを送信するようにＭＳ  Ａ  ２０２に指令する。ユーザの指令に応答して、ＭＳ  Ａ  ２０２は、ＩＳ−９５（１９９９）の逆方向の連続ＤＴＭＦシグナリング・メッセージをＴＦＯ  ＰＲＯＣ  Ａ  ２０６に対して送信する。次に、ＴＦＯ  ＰＲＯＣ  Ａ  ２０６は受信されたＤＴＭＦシグナリング・メッセージからＤＴＭＦ情報を抽出し、このＤＴＭＦ情報を含んでいるＴＦＯフレームを形成する。このＴＦＯフレームがＴＦＯ  ＰＲＯＣ  Ｂ  ２１６に対して送信される。このＴＦＯフレームに応答して、ＴＦＯ  ＰＲＯＣ  Ｂ  ２１６はＤＴＭＦのシグナリング・アクノレッジメント・メッセージをＴＦＯ  ＰＲＯＣ  Ａ  ２０６に対して別のＴＦＯフレームにおいて送信する。次に、ＴＦＯ  ＰＲＯＣ  Ｂ  ２１６はＴＦＯ  ＰＲＯＣ  Ａ  ２０６から受信されたＴＦＯフレームからＤＴＭＦ情報を抽出し、ＩＳ−９５の順方向の連続ＤＴＭＦシグナリング・メッセージの発生をトリガし、それがＭＳ  Ｂ  ２２４に対して送信される。ＭＳ  Ｂ  ２２４は受信されたＤＴＭＦシグナリング・メッセージに基づいてＤＴＭＦトーンを発生する。その結果の連続ＤＴＭＦ文字をＭＳ  Ｂ  ２２４の音声出力において別のユーザが聞くことができるか、あるいはそれ自身によって、あるいはＭＳ  Ｂ  ２２４またはそれに付加されている周辺装置を制御するための以降の連続ＤＴＭＦ文字を付けて使うことができる。連続ＤＴＭＦ文字を停止するには、移動局のユーザがその連続ＤＴＭＦトーンの送信を停止するようにＭＳ  Ａ  ２０６に指令する。次に、ＭＳ  Ａ  ２０６はＩＳ−９５の逆方向の連続ＤＴＭＦシグナリング・メッセージをＴＦＯ  ＰＲＯＣ  Ａ  ２０６に対して送信し、その連続ＤＴＭＦトーンを停止させる。ＴＦＯ  ＰＲＯＣ  Ａ  ２０６は受信されたＤＴＭＦシグナリング・メッセージからＤＴＭＦ情報を抽出し、このＤＴＭＦ情報を含んでいるＴＦＯフレームを形成する。次に、このＴＦＯフレームがＴＦＯ  ＰＲＯＣ  Ｂ  ２１６に対して送信される。ＴＦＯ  ＰＲＯＣ  Ａ  ２０６からのＴＦＯフレームに応答して、ＴＦＯ  ＰＲＯＣ  Ｂ  ２１６はＤＴＭＦのシグナリング・アクノレッジメント・メッセージをＴＦＯ  ＰＲＯＣ  Ａ  ２０６に対してアクノレッジメント用のＴＦＯフレームにおいて送信する。次に、ＴＦＯＰＲＯＣ  Ｂ  ２１６はＴＦＯ  ＰＲＯＣ  Ａ  ２０６から受信されたＴＦＯフレームからＤＴＭＦ情報を抽出し、連続ＤＴＭＦトーンを停止させるためのＩＳ−９５の順方向の連続ＤＴＭＦシグナリング・メッセージの発生をトリガする。次に、ＴＦＯ  ＰＲＯＣ  Ｂ  ２１６は、このメッセージをＭＳ  Ｂ  ２２４に対して送信する。ＴＦＯ  ＰＲＯＣ  Ｂ  ２１６からの連続ＤＴＭＦトーン・メッセージを停止させることに応答して、ＭＳ  Ｂ  ２��４はＤＴＭＦトーンの発生を停止する。その連続ＤＴＭＦ文字の発生の停止の結果は、ＭＳ  Ｂ  ２２４の音声出力において他のユーザにＤＴＭＦトーンが聞こえなくなるか、あるいは連続ＤＴＭＦ文字が停止してＭＳ  Ｂ  ２２４の、あるいはそれに付加されている連続ＤＴＭＦで制御される周辺装置の制御ステップを完了する。
【００１６】
本発明に従ってバーストのＤＴＭＦトーン・シグナリングまたは連続ＤＴＭＦシグナリングのいずれかをＴＦＯモードで使うことによって、移動局から移動局へのＤＴＭＦ制御動作を、歪みおよび遅延を挿入するタンデム動作へのシフトなしで達成することができる。これはその移動ユニットが高度な装置、例えば、先進の移動端末、移動パーソナル・コンピュータ、移動パーソナル・ディジタル・アシスタント、または固定無線ＮＩＵなどである時に特に重要である。
【００１７】
本発明の１つの実施形態は、ＴＦＯフレームで送信するための新しい一般的なタイプのメッセージング・パケットを備えている。その追加された新しいＴＦＯパケットは、一般的なメッセージングを処理するために以下のデータ・フィールドを含んでいる：
システム識別子（８ビット、既存のＴＦＯ標準の中で定義されている）；
コーデックのタイプ（４ビット、既存のＴＦＯ標準の中で定義されている）；
埋め込まれたＴＦＯメッセージ指示子（１ビット、既存のＴＦＯ標準の中で定義されている）；
パケット・タイプ（既存のＴＦＯ標準の中の既存の値に対して追加されるべき新しい値）；
メッセージ・タイプ（新しいフィールド；ＤＴＭＦシグナリングに対して指定されるべき値；ＤＴＭＦシグナリング・アクノレッジメントに対して指定されるべき別の値；他の値が予約されていて、ＴＦＯモードにおける移動局から移動局へのシグナリングを将来サポートするために使うことができる）；
メッセージ長（追加された新しいフィールド）；
メッセージ本体（追加された新しいフィールド）；および
ＣＲＣ（追加された新しいフィールド）。
【００１８】
上記定義されたこの新しいタイプの一般的なメッセージング・パケットの他に、ＤＴＭＦシグナリングに対するメッセージの符号化が以下のようになる：
ＤＴＭＦ＿ＳＩＧ＿ＴＹＰＥ（１ビット、新しいフィールド；０＝バースト・シグナリング、１＝連続シグナリング）；
ＮＵＭ＿ＤＩＧＩＴＳ（８ビット、ＩＳ−９５標準の中で定義されている。連続シグナリングの場合に１を使用する）；
ＤＴＭＦ＿ＯＮ＿ＬＥＮＧＴＨ（３ビット、ＩＳ−９５標準の中で定義されている。連続シグナリングの場合は使用されない）；
ＤＴＭＦ＿ＯＦＦ＿ＬＥＮＧＴＨ（３ビット、ＩＳ−９５標準の中で定義されている。連続シグナリングの場合は使用されない）；
ＤＩＧＩＴｉ（４ビット、ＩＳ−９５標準の中で定義されている；ＮＵＭ＿ＤＩＧＩＴＳ回繰り返される；連続シグナリングを停止させるには１１１１を使用する）。
【００１９】
ＤＴＭＦのシグナリング・アクノレッジメントのためのメッセージ本体は次の通りである。
ＤＴＭＦ＿ＡＣＫ（１ビット、新しいフィールド；０＝成功；１＝不成功）
何らかの理由のために、移動局から移動局へのＴＦＯリンクがＤＴＭＦシグナリングを送信するために使うことができない場合、ＤＴＭＦシグナリングのためのデフォールト・モードはタンデム・モードのＤＴＭＦシグナリングである。そのような理由の例としては、メッセージ・プロトコルの互換性がないこと、および装置の問題などがある。ふたたび図２を参照して、ＴＦＯモードが可能な装置２００におけるタンデム動作が説明される。ＴＦＯ呼出しの間に、ＭＳ  Ａ  ２０２のユーザがＤＴＭＦトーンの送信を指令した場合、ＴＦＯ  ＰＲＯＣ  Ａ  ２０６がＭＳ  Ａ  ２０２の指令に応答して、ＤＴＭＦのシグナリング・メッセージをＴＦＯフレームにおいてＴＦＯ  ＰＲＯＣ  Ｂ  ２０６に対して送信する。ＴＦＯ  ＰＲＯＣ  Ａ  ２０６は、ＴＦＯ  ＰＲＯＣ  Ａ  ２０６がＰＲＯＣＢ  ２１６からのＴＦＯフレームの中で、その動作が不成功であったことを示すＤＴＭＦシグナリング・アクノレッジメント・メッセージを受信した場合、あるいはアクノレッジメント・メッセージが指定された時間の長さ、例えば、４０ミリ秒以内に受信されなかった場合に、ＴＦＯ  ＰＲＯＣ  Ｂ  ２１６がＤＴＭＦシグナリング・メッセージを処理できないと判定する。ＴＦＯ  ＰＲＯＣ  Ａ２０６はＴＦＯ  ＰＲＯＣ  Ｂ  ２１６が何らかの理由でＤＴＭＦトーンを処理できないと判定した場合、ＴＦＯ  ＰＲＯＣ  Ａ  ２０６はタンデム・モードに切り換わり、そしてコーデック  Ａ  ２０８に関連するＤＴＭＦトーン・ゼネレータがＤＴＭＦトーンの送信をＰＣＭチャネル上でコーデック  Ｂ  ２１８に対して、すべて８ビット／サンプルを使って送信を開始する。これを行うために、コーデック  Ａ  ２０８はＴＦＯ  ＰＲＯＣ  Ａ  ２０６のタイマおよび不成功のＤＴＭＦ＿ＡＣＫ感知部分に応答しなければならないか、あるいはＴＦＯ  ＰＲＯＣ  Ａ  ２０６のタイマおよび不成功のＤＴＭＦ＿ＡＣＫ感知部分の機能動作を複製しなければならない。タンデム動作モードにおける第１のＤＴＭＦトーンは、指定された最小の時間、例えば、１００ミリ秒の間、送信される必要がある。コーデック  Ｂ  ２１８に関連するＤＴＭＦ検出器がＰＣＭチャネル上でＤＴＭＦトーンを検出し、そのトーンをＤＴＭＦ文字にデコードし、そしてそのＤＴＭＦ文字を表しているトーンをＭＳ  Ｂ  ２２４に対して送信する。ＴＦＯＰＲＯＣ  Ｂ  ２１６は、タンデム・モードに切り換わる。この変化を達成するために、ＴＦＯ  ＰＲＯＣ  Ｂ  ２１６は、コーデック  Ｂ  ２１８から感知されたタンデム動作モードに応答するか、あるいはコーデック  Ａ  ２１８のタンデム動作モード感知部分の機能動作を複製できる回路を備えていなければならない。
【００２０】
従って、ＴＦＯモードにある間に移動局間でＤＴＭＦトーンを送信するための今まで知られていなかった方法および装置が開示されたことを理解することができるだろう。本発明が上述の好適な実施形態を参照して特に例示され、説明されてきたが、当業者であれば、形状、詳細な点および用途において変更があり得ることを理解することができるだろう。従って、添付の特許請求の範囲は、本発明の真の精神および範囲から逸脱することなしに、形状、詳細な点および用途におけるそのような変更のすべてが含まれることを意図している。
【図面の簡単な説明】
【図１】移動局から移動局への動作のための既知の装置の図である。
【図２】本発明による移動局から移動局への動作のための装置の図である。
【図３】ＤＴＭＦトーンのバーストを１つの移動局から別の移動局へＴＦＯモードで送信するためのプロセスの流れ図である。
【図４】連続ＤＴＭＦトーンを１つの移動局から別の移動局へＴＦＯモードで送信するためのプロセスの流れ図である。
【図１】
0003828356.tif 000002
【図２】
0003828356.tif 000003
【図３】
0003828356.tif 000004
【図４】
0003828356.tif 000005